(57)【要約】【課題】第１電極と該第１電極とは極性が異なる第２電極とをつづら折り状に折り畳んで形成した電極組立体において、集電効率を向上できる蓄電装置を提供すること。【解決手段】負極シート１９は、正極シート１８と重なる負極平面部１９ｃと、屈曲部１９ｂを含み負極平面部１９ｃの負極境界部Ｅ１から延出する負極折返し部１９ｄとが交互に設けられるつづら折り状に折り畳まれており、正極シート１８は、負極平面部１９ｃ間にそれぞれ介在され負極シート１９と重なる正極平面部１８ｃと、屈曲部１８ｂを含み正極平面部１８ｃの正極境界部Ｅ２から延出する正極折返し部１８ｄとが交互に設けられるつづら折り状に折り畳まれており、複数の負極折返し部１９ｄには、負極集電タブ２８が設けられており、複数の正極折返し部１８ｄには、正極集電タブ２４が設けられている。【選択図】図２
2014035998.tif 000002
【特許請求の範囲】
【請求項１】
帯状の第１電極と前記第１電極とは極性が異なる帯状の第２電極とが間にセパレータを介在させた状態で層状に重なる電極組立体と、前記電極組立体を収容するとともに第１電極端子、及び第２電極端子が固定されたケースを有する蓄電装置であって、
前記第１電極は、前記第２電極と重なる第１平面部と、第１屈曲部を含み前記第１平面部の第１縁部から延出する第１折返し部とが交互に設けられるつづら折り状に折り畳まれており、
前記第２電極は、前記第１平面部間にそれぞれ介在されて前記第１電極と重なる第２平面部と、第２屈曲部を含み前記第２平面部において前記第１縁部と直交する第２縁部から延出する第２折返し部とが交互に設けられるつづら折り状に折り畳まれており、
複数の前記第１折返し部には、前記第１電極の前記第１縁部と直交する方向に沿って延びる第３縁部から突出し、前記第１電極端子と電気的に接続される第１集電タブが設けられており、
複数の前記第２折返し部には、前記第２電極の前記第２縁部と直交する方向に沿って延びる第４縁部から突出し、前記第２電極端子と電気的に接続される第２集電タブが設けられていることを特徴とする蓄電装置。
【請求項２】
前記第２集電タブは、
前記第１集電タブが設けられる第３縁部側の前記第２折返し部かつ、
前記第１集電タブが設けられる第１折返し部とは反対側の前記第４縁部に設けられる請求項１に記載の蓄電装置。
【請求項３】
前記第１集電タブは、前記第３縁部に直交する方向に突出するとともに、前記第３縁部に直交する方向に沿った前記第１集電タブの長さは、前記第２集電タブが設けられる第２折返し部の前記第３縁部に直交する方向に沿った長さ以下である請求項２に記載の蓄電装置。
【請求項４】
前記第２集電タブは、
前記第１集電タブが設けられる第３縁部とは反対側の前記第２折返し部かつ、
前記第１集電タブが設けられる第１折返し部とは反対側の前記第４縁部に設けられる請求項１に記載の蓄電装置。
【請求項５】
前記第１集電タブは、全ての前記第１折返し部に設けられており、
前記第２集電タブは、全ての前記第２折返し部に設けられている請求項１〜４のいずれか１項に記載の蓄電装置。
【請求項６】
前記第１折返し部は、前記第１屈曲部と前記第１平面部との間に第３平面部を有し、前記第１集電タブは前記第３平面部に設けられており、
前記第２折返し部は、前記第２屈曲部と前記第２平面部との間に第４平面部を有し、前記第２集電タブは前記第４平面部に設けられている請求項１〜５のいずれか１項に記載の蓄電装置。
【請求項７】
前記蓄電装置は二次電池である請求項１〜６のいずれか１項に記載の蓄電装置。
【発明の詳細な説明】
【技術分野】
【０００１】
本発明は、蓄電装置に関する。
【背景技術】
【０００２】
従来から、ＥＶ（Electric Vehicle）やＰＨＶ（Plug-in Hybrid Vehicle）などの車両に搭載される蓄電装置としては、リチウムイオン二次電池や、ニッケル水素二次電池などがよく知られている。そして、これらの二次電池の中には、帯状の正極、及び帯状の負極をつづら折り状に折り畳んで電極組立体を形成したものもある（例えば特許文献１，２）。特許文献１，２では、正極及び負極を折り畳んで電極組立体を形成することから、例えば矩形シート状（枚葉）の正極及び負極を積層する場合と比較して製造工程を簡略化し、電極組立体を容易に製造することができる。
【先行技術文献】
【特許文献】
【０００３】
【特許文献１】特開平２−１６８５６０号公報
【特許文献２】特開２０１１−１３８６７５号公報
【発明の概要】
【発明が解決しようとする課題】
【０００４】
しかしながら、特許文献１では、各電極において、積層方向における電極組立体の最外層に配置される部分にのみ集電タブを形成するとともに、該集電タブと、ケースに形成された電極端子とを電気的に接続している。このため、各電極では、集電タブから離間した部分からの集電効率が低下し、これに伴って二次電池の出力密度が小さくなる虞がある。また、特許文献２には、集電タブ（リード）をどのように設けるかについて、具体的な開示がなされておらず、正極と負極とをつづら折り状に折り畳んで形成した電極組立体において、集電効率を向上させることが期待されている。
【０００５】
この発明は、上記従来技術に存在する問題点に着目してなされたものであり、その目的は、第１電極と該第１電極とは極性が異なる第２電極とをつづら折り状に折り畳んで形成した電極組立体において、集電効率を向上できる蓄電装置を提供することにある。
【課題を解決するための手段】
【０００６】
上記課題を解決するために、請求項１に記載の発明は、帯状の第１電極と前記第１電極とは極性が異なる帯状の第２電極とが間にセパレータを介在させた状態で層状に重なる電極組立体と、前記電極組立体を収容するとともに第１電極端子、及び第２電極端子が固定されたケースを有する蓄電装置であって、前記第１電極は、前記第２電極と重なる第１平面部と、第１屈曲部を含み前記第１平面部の第１縁部から延出する第１折返し部とが交互に設けられるつづら折り状に折り畳まれており、前記第２電極は、前記第１平面部間にそれぞれ介在されて前記第１電極と重なる第２平面部と、第２屈曲部を含み前記第２平面部において前記第１縁部と直交する第２縁部から延出する第２折返し部とが交互に設けられるつづら折り状に折り畳まれており、複数の前記第１折返し部には、前記第１電極の前記第１縁部と直交する方向に沿って延びる第３縁部から突出し、前記第１電極端子と電気的に接続される第１集電タブが設けられており、複数の前記第２折返し部には、前記第２電極の前記第２縁部と直交する方向に沿って延びる第４縁部から突出し、前記第２電極端子と電気的に接続される第２集電タブが設けられていることを要旨とする。
【０００７】
これによれば、第１電極における複数の第１折返し部には、第１平面部の第１縁部と直交する方向に沿って延びる第３縁部から突出し、第１電極端子と電気的に接続される第１集電タブが設けられており、第２電極における複数の第２折返し部には、第２平面部の第２縁部と直交する方向に沿って延びる第４縁部から突出し、第２電極端子と電気的に接続される第２集電タブが設けられている。即ち、第１，第２電極には、電極組立体の積層方向における中間部分にて複数の集電タブがそれぞれ設けられている。このため、第１，第２電極において、電極組立体における積層方向の最外層に配置される部分にのみ集電タブを形成する従来の構成と比較して、集電タブと、電極各部との離間距離を小さくできる。したがって、第１電極と該第１電極とは極性が異なる第２電極とをつづら折り状に折り畳んで形成した電極組立体において、集電効率を向上できる。
【０００８】
請求項２に記載の発明は、請求項１に記載の蓄電装置において、前記第２集電タブは、前記第１集電タブが設けられる第３縁部側の前記第２折返し部かつ、前記第１集電タブが設けられる第１折返し部とは反対側の前記第４縁部に設けられることを要旨とする。
【０００９】
これによれば、第２集電タブは、第１集電タブが設けられる第３縁部側の第２折返し部に設けられることから、第１集電タブと第２集電タブとを、電極組立体の一方側に形成できる。したがって、第１集電タブと第１電極端子との接続構造、及び第２集電タブと第２電極端子との接続構造を簡略化しやすくできる。
【００１０】
請求項３に記載の発明は、請求項２に記載の蓄電装置において、前記第１集電タブは、前記第３縁部に直交する方向に突出するとともに、前記第３縁部に直交する方向に沿った前記第１集電タブの長さは、前記第２集電タブが設けられる第２折返し部の前記第３縁部に直交する方向に沿った長さ以下であることを要旨とする。
【００１１】
これによれば、第１集電タブが第２折返し部の第２屈曲部より第３縁部と直交する方向に突出しないことから、第１電極の縁部と第２電極の縁部とで形成される電極組立体の凹部に第１集電タブを収容してデッドスペースを削減し、蓄電装置のエネルギ密度を向上できる。
【００１２】
請求項４に記載の発明は、請求項１に記載の蓄電装置において、前記第２集電タブは、前記第１集電タブが設けられる第３縁部とは反対側の前記第２折返し部かつ、前記第１集電タブが設けられる第１折返し部とは反対側の前記第４縁部に設けられることを要旨とする。
【００１３】
これによれば、第１集電タブと第２集電タブとが電極組立体において対角線上に配置されることから、第１電極と第２電極との間における反応を均一化し、蓄電装置としての出力密度をさらに向上できる。
【００１４】
請求項５に記載の発明は、請求項１〜４のいずれか１項に記載の蓄電装置において、前記第１集電タブは、全ての前記第１折返し部に設けられており、前記第２集電タブは、全ての前記第２折返し部に設けられていることを要旨とする。これによれば、各集電タブと、電極各部との離間距離をさらに小さくし、より集電効率を向上できる。
【００１５】
請求項６に記載の発明は、請求項１〜５のいずれか１項に記載の蓄電装置において、前記第１折返し部は、前記第１屈曲部と前記第１平面部との間に第３平面部を有し、前記第１集電タブは前記第３平面部に設けられており、前記第２折返し部は、前記第２屈曲部と前記第２平面部との間に第４平面部を有し、前記第２集電タブは前記第４平面部に設けられていることを要旨とする。
【００１６】
これによれば、第１集電タブが第３平面部に設けられ、第２集電タブが第４平面部に設けられている。したがって、屈曲部に各集電タブを設ける構成と比較して、容易に複数の集電タブを寄せ集め、電極端子に接続できる。
【００１７】
請求項７に記載の発明は、請求項１〜６のいずれか１項に記載の蓄電装置において、前記蓄電装置は二次電池であることを要旨とする。
これによれば、二次電池として、第１電極と該第１電極とは極性が異なる第２電極とをつづら折り状に折り畳んで形成した電極組立体において、集電効率を向上できる。
【発明の効果】
【００１８】
本発明によれば、第１電極と該第１電極とは極性が異なる第２電極とをつづら折り状に折り畳んで形成した電極組立体において、集電効率を向上できる。
【図面の簡単な説明】
【００１９】
【図１】二次電池を模式的に示す断面図。
【図２】電極組立体を模式的に示す斜視図。
【図３】展開した正極シート、及び負極シートを模式的に示す平面図。
【図４】別の実施形態における電極組立体を模式的に示す正面図。
【図５】別の実施形態における正極シート、及び負極シートを模式的に示す平面図。
【発明を実施するための形態】
【００２０】
以下、本発明を具体化した一実施形態を図１〜図３にしたがって説明する。
図１に示すように、例えば乗用車両や産業車両などの車両に搭載される蓄電装置としてのリチウムイオン二次電池（以下「二次電池」と示す）１０は、ケース１１に電極組立体１２が収容されている。
【００２１】
ケース１１は、電極組立体１２を収容する有底矩形箱状の本体部材１１ａと、該本体部材１１ａの開口部を閉塞する矩形板状の蓋部材１１ｂとから構成されている。本体部材１１ａ、及び蓋部材１１ｂは、例えばステンレスやアルミニウムなどの金属製である。
【００２２】
ケース１１内には、電解質として非水電解液１４が充填されている。また、ケース１１を形成する壁の１つとなる蓋部材１１ｂには、第２電極端子としての正極端子１５、及び第１電極端子としての負極端子１６が固定され、外部に向かって突出されている。
【００２３】
図２に示すように、電極組立体１２は、第２電極としての帯状の正極シート１８と、正極シート１８とは極性が異なる第１電極としての帯状の負極シート１９と、正極シート１８と負極シート１９との間を絶縁する帯状のセパレータ２０とを有する。そして、電極組立体１２は、正極シート１８と、負極シート１９とが、間にセパレータ２０を介在させた状態でそれぞれ「つづら折り状（ジグザグ状）」に折り畳まれて層状に重なるつづら折り型の電極組立体である。以下の説明では、正極シート１８と負極シート１９とが層状に重なる方向を単に積層方向Ｙｃと示す。なお、電極組立体１２は図示しない絶縁シートに覆われた状態でケース１１に収容されている。
【００２４】
電極組立体１２において正極シート１８は、各端子１５，１６の突出方向と、正極シート１８の長手方向Ｙａとを一致させ、且つ２枚のセパレータ２０に挟み込まれた状態で、正極シート１８の長手方向Ｙａに沿って等間隔で山折りと谷折りとを繰り返すことにより第２屈曲部としての屈曲部１８ｂを設け、つづら折り状に折り畳まれている。
【００２５】
本実施形態では、正極シート１８のうち積層方向Ｙｃから見て負極シート１９と重なる領域が第２平面部としての正極平面部１８ｃとなり、負極シート１９と重ならない領域が屈曲部１８ｂを含む第２折返し部としての正極折返し部１８ｄとなる。即ち、正極折返し部１８ｄは、正極平面部１８ｃの縁部のうち第２縁部としての正極境界部Ｅ２から延出されている。正極シート１８において、正極平面部１８ｃと正極折返し部１８ｄとは、交互に設けられる。
【００２６】
図３に示すように、正極シート１８は、帯状である正極用の金属箔（本実施形態ではアルミニウム箔）２１と、その両面に正極活物質を塗布して形成された正極活物質層２２を有する。正極活物質層２２が形成されていない部分の金属箔２１は、非塗工部２３を構成する。金属箔２１には、正極活物質が金属箔２１の長手方向Ｙａに沿って間欠的に塗工されており、非塗工部２３が長手方向Ｙａに沿って、屈曲部１８ｂと同じ間隔で設けられている。そして、正極シート１８の長手方向Ｙａに沿った非塗工部２３の中央には、それぞれ屈曲部１８ｂが設けられている。また、非塗工部２３は、金属箔２１の長手方向Ｙａと直交する幅方向の全幅にわたって設けられている。
【００２７】
また、正極シート１８（金属箔２１）の長手方向Ｙａに沿って延びる縁部のうち、正極端子１５側に配置される一方の第４縁部としての縁部１８ａには、正極シート１８の幅方向に沿って突出する矩形の第１集電タブとしての正極集電タブ２４が所定間隔で設けられている。縁部１８ａは、正極境界部Ｅ２と直交する方向に沿って延びるとともに、正極シート１８の幅方向は、縁部１８ａと直交する方向となる。各正極集電タブ２４は、金属箔２１の一部であり、表面には正極活物質層２２が形成されていない。各正極集電タブ２４は、正極折返し部１８ｄのうち、屈曲部１８ｂを除いた平面状の第４平面部としての折返し平面部１８ｆに設けられている。
【００２８】
正極集電タブ２４は、全ての正極折返し部１８ｄ（折返し平面部１８ｆ）に設けられている。また、正極集電タブ２４は、正極シート１８を折り畳んだ状態において、蓋部材１１ｂ（正極端子１５）側に配置される各正極折返し部１８ｄの屈曲部１８ｂを、正極シート１８の長手方向Ｙａの両側から挟むように近接させて設けられている。そして、１つの正極折返し部１８ｄに設けられた２つの正極集電タブ２４は、正極シート１８を折り畳んだ状態において、積層方向Ｙｃに相互に重なる。なお、正極集電タブ２４は、正極平面部１８ｃから延出する正極シート１８の長手方向Ｙａの端部（始端部及び終端部）１８ｅにおける縁部１８ａにも設けられている。
【００２９】
また、図２に示すように、電極組立体１２において負極シート１９は、該負極シート１９の長手方向Ｙｂと正極シート１８の長手方向Ｙａとを直交させた状態において、負極シート１９の長手方向Ｙｂに沿って等間隔で山折りと谷折りとを繰り返すことにより第１屈曲部としての屈曲部１９ｂを設け、つづら折り状に折り畳まれている。
【００３０】
本実施形態では、負極シート１９のうち積層方向Ｙｃから見て正極シート１８と重なる領域が第１平面部としての負極平面部１９ｃとなり、正極シート１８と重ならない領域が屈曲部１９ｂを含む第１折返し部としての負極折返し部１９ｄとなる。即ち、負極折返し部１９ｄは、負極平面部１９ｃの縁部のうち第１縁部としての負極境界部Ｅ１から延出されている。本実施形態では、負極境界部Ｅ１と正極境界部Ｅ２とは直交する。負極シート１９において、負極平面部１９ｃと負極折返し部１９ｄとは、交互に設けられる。また、負極平面部１９ｃと負極平面部１９ｃとの間には、正極平面部１８ｃがそれぞれ介在される。
【００３１】
図３に示すように、負極シート１９は、帯状である負極用の金属箔（本実施形態では銅箔）２５と、その両面に負極活物質を塗布して形成された負極活物質層２６を有する。負極活物質層２６が形成されていない部分の金属箔２５は、非塗工部２７を構成する。金属箔２５には、負極活物質が金属箔２５の長手方向Ｙｂに沿って間欠的に塗工されており、非塗工部２７が長手方向Ｙｂに沿って、屈曲部１９ｂと同じ間隔で設けられている。そして、負極シート１９の長手方向Ｙｂに沿った非塗工部２７の中央には、それぞれ屈曲部１９ｂが設けられている。また、非塗工部２７は、金属箔２５の長手方向Ｙｂと直交する幅方向の全幅にわたって設けられている。
【００３２】
また、負極シート１９（金属箔２５）の長手方向Ｙｂに沿って延びる縁部のうち負極端子１６（蓋部材１１ｂ）側に配置される一方の第３縁部としての縁部１９ａには、負極シート１９の幅方向に沿って突出する矩形の第１集電タブとしての負極集電タブ２８が所定間隔で設けられている。縁部１９ａは、負極境界部Ｅ１と直交する方向に沿って延びるとともに、負極シート１９の幅方向は、縁部１９ａと直交する方向となる。各負極集電タブ２８は、金属箔２５の一部であり、表面には負極活物質層２６が形成されていない。各負極集電タブ２８は、負極折返し部１９ｄのうち、屈曲部１９ｂを除いた平面状の第３平面部としての折返し平面部１９ｆに設けられている。
【００３３】
また、負極集電タブ２８は、全ての負極折返し部１９ｄ（折返し平面部１９ｆ）に設けられている。また、負極集電タブ２８は、負極シート１９を折り畳んだ状態において、負極端子１６側に配置される各負極折返し部１９ｄの屈曲部１９ｂを、負極シート１９の長手方向Ｙｂの両側から挟むように近接させて設けられている。そして、１つの負極折返し部１９ｄに設けられた２つの負極集電タブ２８は、負極シート１９を折り畳んだ状態において、積層方向Ｙｃに相互に重なる。なお、負極集電タブ２８は、負極平面部１９ｃから延出する負極シート１９の長手方向Ｙｂの端部（始端部及び終端部）１９ｅにおける縁部１９ａにも設けられている。したがって、前述の正極集電タブ２４は、負極集電タブ２８が突出する縁部１９ａ側の正極折返し部１８ｄかつ、負極折返し部１９ｄとは反対側の縁部１８ａに設けられる。
【００３４】
そして、本実施形態では、矢印Ｙ１及び矢印Ｙ２に示すように、２枚のセパレータ２０の間に挟み込んだ正極シート１８と、負極シート１９とを、交互に重ね合わせるように折り畳むことにより、正極シート１８及び負極シート１９がそれぞれつづら折り状（ジグザグ状）の構造を有する電極組立体１２が形成される。
【００３５】
また、図１に示すように、正極シート１８を折り畳んだ状態において、電極組立体１２の縁部のうち正極端子１５側に配置される１つの縁部には、正極集電タブ２４が層状に重なった正極集電タブ群２４ａが負極折返し部１９ｄの延出方向に沿って突出形成される。また、負極シート１９を折り畳んだ状態において、電極組立体１２の縁部のうち負極端子１６（蓋部材１１ｂ）側に配置される１つの縁部には、負極集電タブ２８が層状に重なった負極集電タブ群２８ａが正極折返し部１８ｄの延出方向に沿って突出形成される。
【００３６】
また、各負極集電タブ２８は、正極シート１８の縁部のうち縁部１８ａとは反対側の縁部３０が延びる方向、即ち縁部１９ａと直交する方向に沿って突出する。そして、突出方向に沿った各負極集電タブ２８の長さは、縁部１９ａ（正極境界部Ｅ２）から、正極集電タブ２４が設けられる正極折返し部１８ｄの先端（屈曲部１８ｂ）迄の長さ、即ち各負極集電タブ２８の突出方向に沿った正極折返し部１８ｄの長さ以下である。
【００３７】
したがって、電極組立体１２において負極集電タブ群２８ａは、正極シート１８の縁部３０と、負極シート１９の縁部１９ａとで電極組立体１２の角部分に形成される凹部３１に収容される。即ち、負極集電タブ群２８ａは、ケース１１内において、縁部１９ａ、縁部３０、縁部３０と対向する本体部材１１ａの側壁、及び縁部１９ａと対向する蓋部材１１ｂにより囲まれる略立方体状の空間３２に収容されている。
【００３８】
なお、突出方向に沿った各正極集電タブ２４の長さは、縁部１８ａ（負極境界部Ｅ１）から、縁部１８ａ側の負極折返し部１９ｄの先端（屈曲部１９ｂ）までの長さ、即ち各正極集電タブ２４の突出方向に沿った負極折返し部１９ｄの長さより長い。したがって、正極集電タブ群２４ａは、縁部１８ａ側の負極折返し部１９ｄよりも、該負極折返し部１９ｄの延出方向へ突出している。
【００３９】
そして、正極集電タブ群２４ａは、各正極集電タブ２４を積層方向Ｙｃに寄せ集めた状態で、正極端子１５と抵抗溶接などにより接合され、電気的に接続されている。また、負極集電タブ群２８ａは、各負極集電タブ２８を積層方向Ｙｃに寄せ集めた状態で、負極端子１６と抵抗溶接などにより接合され、電気的に接続されている。
【００４０】
次に、上記のように構成した二次電池１０の作用について説明する。
本実施形態の電極組立体１２は、帯状の正極シート１８、及び帯状の負極シート１９をつづら折り状に折り畳むことで形成されていることから、矩形シート状（枚葉）の正極シート１８、及び負極シート１９を交互に積層する場合と比較して、簡便に電極組立体１２を形成できる。
【００４１】
そして、各正極折返し部１８ｄには、正極集電タブ２４を設ける一方で、各負極折返し部１９ｄには、負極集電タブ２８を設けている。即ち、正極シート１８には、それぞれ長手方向Ｙａの中間部分に複数の正極集電タブ２４が設けられている。このため、正極シート１８において、電極組立体１２における積層方向Ｙｃの最外層に配置される部分にのみ正極集電タブ２４を形成する場合と比較して、正極集電タブ２４と、正極シート１８の各部との離間距離を小さく、且つ平均化できる。負極シート１９についても同様である。
【００４２】
また、正極集電タブ２４が設けられる正極折返し部１８ｄは、負極集電タブ２８が突出された縁部１９ａ側の折返し部であることから、正極集電タブ群２４ａと負極集電タブ群２８ａとを、電極組立体１２の一方側に形成できる。したがって、正極集電タブ群２４ａと正極端子１５、及び負極集電タブ群２８ａと負極端子１６との接続構造を簡略化し易くできる。
【００４３】
特に、本実施形態では、正極端子１５及び負極端子１６が固定された蓋部材１１ｂ側に正極集電タブ２４及び負極集電タブ２８を設けている。したがって、正極端子１５と正極集電タブ群２４ａ、及び負極端子１６と負極集電タブ群２８ａとをそれぞれ近接させ、容易に電気的に接続できる。
【００４４】
本実施形態では、突出方向に沿った各負極集電タブ２８の長さを、正極集電タブ２４が設けられる正極折返し部１８ｄにおける該正極折返し部１８ｄの延出方向に沿った長さ以下にしている。したがって、正極シート１８の縁部３０と、負極シート１９の縁部１９ａとで形成される電極組立体１２の凹部３１に負極集電タブ群２８ａを収容し、ケース１１内におけるデッドスペースを削減できる。
【００４５】
また、全ての正極折返し部１８ｄに正極集電タブ２４を設けるとともに、全ての負極折返し部１９ｄに負極集電タブ２８を設けている。したがって、正極集電タブ２４と、正極シート１８の各部との離間距離をさらに小さく、且つ平均化できる。負極シート１９についても同様である。特に本実施形態では、各正極折返し部１８ｄに２つの正極集電タブ２４を設ける一方で、各負極折返し部１９ｄに２つの負極集電タブ２８を設けている。このため、集電効率を好適に高め、電極組立体１２からより大きな電流（電力）を取り出すことができる。
【００４６】
また、正極集電タブ２４は、正極シート１８の折返し平面部１８ｆに設けられる一方で、負極集電タブ２８は、負極シート１９の折返し平面部１９ｆに設けられている。したがって、正極集電タブ群２４ａと正極端子１５とを接合するために、各正極集電タブ２４を寄せ集めるときに、各正極集電タブ２４が意図しない方向へ折れ曲がってしまうことを抑制し、複数の正極集電タブ２４を簡単に寄せ集めることができる。したがって、正極集電タブ群２４ａと正極端子１５とを簡便に接続できる。負極集電タブ群２８ａと負極端子１６との接続についても同様である。
【００４７】
したがって、本実施形態によれば、以下のような効果を得ることができる。
（１）各正極折返し部１８ｄには、正極集電タブ２４を設ける一方で、各負極折返し部１９ｄには、負極集電タブ２８を設けている。即ち、正極シート１８には、積層方向Ｙｃにおける電極組立体１２の中間部分にて複数の正極集電タブ２４が設けられている。このため、正極シート１８において、電極組立体１２における積層方向Ｙｃの最外層に配置される部分にのみ正極集電タブ２４を形成する従来の構成と比較して、正極集電タブ２４と、正極シート１８の各部との離間距離を小さくできる。負極シート１９についても同様である。したがって、正極シート１８と負極シート１９とをつづら折り状に折り畳んで形成した電極組立体１２において、集電効率を向上できる。
【００４８】
（２）集電効率を向上させることにより、二次電池１０のエネルギ密度を向上できる。このため、例えば、二次電池１０の大きさを維持したまま高容量化したり、容量を維持したまま二次電池１０を小型化したりできる。
【００４９】
（３）正極集電タブ２４は、負極集電タブ２８が設けられる縁部１９ａ側の正極折返し部１８ｄに設けられることから、正極集電タブ２４と負極集電タブ２８とを、電極組立体１２の一方側に形成できる。したがって、正極集電タブ２４と正極端子１５、及び負極集電タブ２８と負極端子１６との接続構造を簡略化し易くできる。
【００５０】
（４）特に、本実施形態では、正極端子１５及び負極端子１６が固定された蓋部材１１ｂ側に正極集電タブ２４及び負極集電タブ２８を設けている。したがって、正極端子１５と正極集電タブ２４、及び負極端子１６と負極集電タブ２８とをそれぞれ近接させ、容易に接続できる。
【００５１】
（５）負極集電タブ２８が正極折返し部１８ｄの屈曲部１８ｂより、縁部１９ａと直交する方向に突出しないことから、正極シート１８の縁部３０と負極シート１９の縁部１９ａとで形成される電極組立体１２の凹部３１に負極集電タブ２８を収容してデッドスペースを削減し、二次電池１０のエネルギ密度を向上できる。
【００５２】
（６）全ての正極折返し部１８ｄに正極集電タブ２４を設けるとともに、全ての負極折返し部１９ｄに負極集電タブ２８を設けている。したがって、正極集電タブ２４と、正極シート１８の各部との離間距離をさらに小さくできる。負極シート１９についても同様である。このため、電極組立体１２における集電効率を好適に高めることができる。
【００５３】
（７）正極集電タブ２４は、正極シート１８の折返し平面部１８ｆに設けられる一方で、負極集電タブ２８は、負極シート１９の折返し平面部１９ｆに設けられている。したがって、屈曲部１８ｂに正極集電タブ２４を設ける構成と比較して、複数の正極集電タブ２４を寄せ集め易く、正極端子１５と容易に接続できる。負極集電タブ２８についても同様である。
【００５４】
（８）二次電池１０として、正極シート１８と負極シート１９とをつづら折り状に折り畳んで形成した電極組立体１２において、集電効率を向上できる。
実施形態は前記に限定されるものではなく、例えば、次のように具体化してもよい。
【００５５】
○  正極集電タブ２４や負極集電タブ２８は異なる位置に形成してもよい。例えば、図４に示すように、正極集電タブ２４は、負極集電タブ２８が設けられる縁部１９ａとは反対側の正極折返し部１８ｄかつ、負極集電タブ２８が設けられる負極折返し部１９ｄとは反対側の縁部１８ａに設けられてもよい。これによれば、電極組立体１２において、正極集電タブ２４（正極集電タブ群２４ａ）と負極集電タブ２８（負極集電タブ群２８ａ）とが対角線上に配置されることから、正極シート１８と負極シート１９との間における反応を均一化し、二次電池１０としての出力密度をさらに向上できる。
【００５６】
○  図５に示すように、正極シート１８は、正極平面部１８ｃのみ、又は正極平面部１８ｃ内であって該正極平面部１８ｃよりも僅かに小さい領域にのみ正極活物質層２２を形成してもよい。これによれば、正極活物質層２２と負極活物質層２６とが対向しない領域を削減し、金属リチウムの析出を抑制できる。また、負極シート１９は、負極平面部１９ｃのみ、又は負極平面部１９ｃを含み該負極平面部１９ｃよりも僅かに大きい領域にのみ負極活物質層２６を形成してもよい。
【００５７】
○  正極シート１８は、金属箔２１において正極集電タブ２４を除いた全面に正極活物質層２２を形成してもよい。同様に、負極シート１９は、金属箔２５において負極集電タブ２８を除いた全面に負極活物質層２６を形成してもよい。即ち、屈曲部１８ｂ，１９ｂには、活物質層が形成されていてもよい。
【００５８】
○  正極シート１８に代えて負極シート１９を２枚のセパレータ２０で挟みこんでもよい。
○  電極組立体１２は、負極シート１９を、該負極シート１９の長手方向Ｙｂと各端子１５，１６の突出方向とを一致させた状態でつづら折り状に折り畳む一方で、正極シート１８を、該正極シート１８の長手方向Ｙａと負極シート１９の長手方向Ｙｂとを直交させた状態でつづら折り状に折り畳んで形成してもよい。即ち、正極シート１８と負極シート１９とを入れ替えてもよい。
【００５９】
○  正極折返し部１８ｄには、１つ又は３つ以上の正極集電タブ２４を設けてよく、複数である一部の正極折返し部１８ｄに正極集電タブ２４を設けてもよい。即ち、複数の正極折返し部１８ｄに正極集電タブ２４が設けられておればよい。負極シート１９についても同様に変更できる。
【００６０】
○  突出方向に沿った各負極集電タブ２８の長さは、正極集電タブ２４が設けられる正極折返し部１８ｄにおける該正極折返し部１８ｄの延出方向に沿った長さより長くてもよい。
【００６１】
○  突出方向に沿った各正極集電タブ２４の長さは、縁部１８ａ側の負極折返し部１９ｄにおける該負極折返し部１９ｄの延出方向に沿った長さより短くてもよい。これによれば、正極シート１８の縁部１８ａと負極シート１９の縁部１９ａとで形成される電極組立体１２の凹部に正極集電タブ２４を収容できる。
【００６２】
○  正極集電タブ２４、及び負極集電タブ２８は、三角形や半円形など異なる形状に変更してもよい。
○  電極組立体１２は、複数の正極シート１８、及び複数の負極シート１９を組み合わせて形成されていてもよい。
【００６３】
○  正極シート１８及び負極シート１９は、片面に活物質を塗布して形成されていてもよい。
○  ニッケル水素二次電池や、電気二重層キャパシタなどの蓄電装置に具体化してもよい。
【００６４】
○  車両以外に用いられる蓄電装置に具体化してもよい。
【符号の説明】
【００６５】
Ｅ１…負極境界部（第１縁部）、Ｅ２…正極境界部（第２縁部）、１０…リチウムイオン二次電池（二次電池、蓄電装置）、１１…ケース、１２…電極組立体、１５…正極端子（第２電極端子）、１６…負極端子（第１電極端子）、１８…正極シート（第２電極）、１８ａ…縁部（第４縁部）、１８ｂ…屈曲部（第２屈曲部）、１８ｃ…正極平面部（第２平面部）、１８ｄ…正極折返し部（第２折返し部）、１８ｆ…折返し平面部（第４平面部）、１９…負極シート（第１電極）、１９ａ…縁部（第３縁部）、１９ｂ…屈曲部（第１屈曲部）、１９ｃ…負極平面部（第１平面部）、１９ｄ…負極折返し部（第１折返し部）、１９ｆ…折返し平面部（第３平面部）、２０…セパレータ、２４…正極集電タブ（第２集電タブ）、２８…負極集電タブ（第１集電タブ）、３０…縁部。
【図１】
2014035998.tif 000003
【図２】
2014035998.tif 000004
【図３】
2014035998.tif 000005
【図４】
2014035998.tif 000006
【図５】
2014035998.tif 000007